(57)【特許請求の範囲】
【請求項１】
マトリクス状に配列された複数の画素を有する表示装置であって、
前記画素は各組が三色以上の絵素を含む複数組の絵素群を有しており、前記画素に含まれる同色の前記絵素は同じ信号により駆動され、
前記画素は行方向に隣接する二組の絵素群から構成され、かつ前記二組の絵素群のそれぞれは周期的に一方向に配列された三色以上の絵素から構成され、
前記二組の絵素群のそれぞれは周期的に一方向に配列された三色の絵素から構成され、行方向に隣接する二つの前記画素のうち一方の画素に含まれる前記絵素の極性が＋・−・＋・＋・−・＋であり、他方の画素に含まれる前記絵素の極性が−・＋・−・−・＋・−であり、
列方向に延び、かつ前記絵素に電気的に接続された複数の信号線をさらに有しており、前記絵素は行方向に隣接する二つの前記信号線に挟まれ、同極性の前記信号線に挟まれた前記絵素の開口率が、前記画素に含まれる同色の他の前記絵素の開口率と異なる、表示装置。
【請求項２】
マトリクス状に配列された複数の画素を有する表示装置であって、 前記画素は各組が三色以上の絵素を含む複数組の絵素群を有しており、前記画素に含まれる同色の前記絵素は同じ信号により駆動され、 前記画素は行方向に隣接する二組の絵素群から構成され、かつ前記二組の絵素群のそれぞれは周期的に一方向に配列された三色以上の絵素から構成され、 前記二組の絵素群のそれぞれは周期的に一方向に配列された５色の絵素から構成され、行方向に隣接する二つの前記画素のうち一方の画素に含まれる前記絵素の極性が＋・−・＋・−・＋・＋・−・＋・−・＋であり、他方の画素に含まれる前記絵素の極性が−・＋・−・＋・−・−・＋・−・＋・−であり、前記絵素の極性が所定周期で反転し、 列方向に延び、かつ前記絵素に電気的に接続された複数の信号線をさらに有しており、前記絵素は行方向に隣接する二つの前記信号線に挟まれ、同極性の前記信号線に挟まれた前記絵素の開口率が、前記画素に含まれる同色の他の前記絵素の開口率と異なる、表示装置。
【請求項３】
マトリクス状に配列された複数の画素を有する表示装置であって、
前記画素は各組が三色以上の絵素を含む複数組の絵素群を有しており、前記画素に含まれる同色の前記絵素は同じ信号により駆動され、
前記画素は行方向に隣接する二組の絵素群から構成され、かつ前記二組の絵素群のそれぞれは周期的に一方向に配列された三色以上の絵素から構成され、
前記二組の絵素群のそれぞれは周期的に一方向に配列された三色の絵素から構成され、行方向に隣接する二つの前記画素のうち一方の画素に含まれる前記絵素の極性が＋・−・＋・＋・−・＋であり、他方の画素に含まれる前記絵素の極性が−・＋・−・−・＋・−であり、前記絵素の極性が所定周期で反転し、
列方向に延び、かつ前記絵素に電気的に接続された複数の信号線をさらに有しており、前記絵素は行方向に隣接する二つの前記信号線に挟まれ、同極性の前記信号線に挟まれた前記絵素群を構成する絵素のうち最も視感度の低い色の前記絵素の開口率が、前記画素に含まれる同色の他の前記絵素の開口率よりも１０％以上３０％以下の範囲で低い、表示装置。
【請求項４】
マトリクス状に配列された複数の画素を有する表示装置であって、
前記画素は各組が三色以上の絵素を含む複数組の絵素群を有しており、前記画素に含まれる同色の前記絵素は同じ信号により駆動され、
前記画素は行方向に隣接する二組の絵素群から構成され、かつ前記二組の絵素群のそれぞれは周期的に一方向に配列された三色以上の絵素から構成され、
前記二組の絵素群のそれぞれは周期的に一方向に配列された５色の絵素から構成され、行方向に隣接する二つの前記画素のうち一方の画素に含まれる前記絵素の極性が＋・−・＋・−・＋・＋・−・＋・−・＋であり、他方の画素に含まれる前記絵素の極性が−・＋・−・＋・−・−・＋・−・＋・−であり、前記絵素の極性が所定周期で反転し、
列方向に延び、かつ前記絵素に電気的に接続された複数の信号線をさらに有しており、前記絵素は行方向に隣接する二つの前記信号線に挟まれ、同極性の前記信号線に挟まれた前記絵素群を構成する絵素のうち最も視感度の低い色の前記絵素の開口率が、前記画素に含まれる同色の他の前記絵素の開口率よりも１０％以上３０％以下の範囲で低い、表示装置。
【請求項５】
マトリクス状に配列された複数の画素を有する表示装置であって、
前記画素は各組が三色以上の絵素を含む複数組の絵素群を有しており、前記画素に含まれる同色の前記絵素は同じ信号により駆動され、
前記画素は行方向に隣接する二組の絵素群から構成され、かつ前記二組の絵素群のそれぞれは周期的に一方向に配列された三色以上の絵素から構成され、
前記二組の絵素群のそれぞれは周期的に一方向に配列された三色の絵素から構成され、行方向に隣接する二つの前記画素のうち一方の画素に含まれる前記絵素の極性が＋・−・＋・＋・−・＋であり、他方の画素に含まれる前記絵素の極性が−・＋・−・−・＋・−であり、前記絵素の極性が所定周期で反転し、
列方向に延び、かつ前記絵素に電気的に接続された複数の信号線をさらに有しており、前記絵素は行方向に隣接する二つの前記信号線に挟まれ、同極性の前記信号線に挟まれた前記絵素が前記絵素群を構成する絵素のうち最も視感度の低い色の絵素である、表示装置。
【請求項６】
マトリクス状に配列された複数の画素を有する表示装置であって、
前記画素は各組が三色以上の絵素を含む複数組の絵素群を有しており、前記画素に含まれる同色の前記絵素は同じ信号により駆動され、
前記画素は行方向に隣接する二組の絵素群から構成され、かつ前記二組の絵素群のそれぞれは周期的に一方向に配列された三色以上の絵素から構成され、
前記二組の絵素群のそれぞれは周期的に一方向に配列された５色の絵素から構成され、行方向に隣接する二つの前記画素のうち一方の画素に含まれる前記絵素の極性が＋・−・＋・−・＋・＋・−・＋・−・＋であり、他方の画素に含まれる前記絵素の極性が−・＋・−・＋・−・−・＋・−・＋・−であり、前記絵素の極性が所定周期で反転し、
列方向に延び、かつ前記絵素に電気的に接続された複数の信号線をさらに有しており、前記絵素は行方向に隣接する二つの前記信号線に挟まれ、同極性の前記信号線に挟まれた前記絵素が前記絵素群を構成する絵素のうち最も視感度の低い色の絵素である、表示装置。
【請求項７】
前記絵素を駆動させるための信号を出力する駆動回路をさらに有しており、前記駆動回路から出力された前記信号が複数に分岐されて、同色の前記絵素を駆動させる請求項１から６のいずれか１項に記載の表示装置。
【請求項８】
前記絵素群を構成する絵素のうち最も視感度の低い色の絵素は、最も視感度の高い色の絵素および２番目に視感度の高い色の絵素に行方向に挟まれて配置されている請求項１から７のいずれか１項に記載の表示装置。
【請求項９】
前記絵素群が赤、緑および青の三色の絵素から構成されている請求項１、３および５のいずれか１項に記載の表示装置。
【請求項１０】
前記絵素群がシアン、マゼンタおよびイエロの三色の絵素から構成されている請求項１、３および５のいずれか１項に記載の表示装置。
【請求項１１】
前記絵素群が赤、緑、青、イエロおよびシアンの５色の絵素から構成されている請求項２、４および６のいずれか１項に記載の表示装置。
【発明の詳細な説明】
【技術分野】
【０００１】
本発明は、液晶表示装置（ＬＣＤ）、プラズマ表示装置（ＰＤＰ）、無機または有機エレクトロルミネッセンス（ＥＬ）表示装置、発光ダイオード（ＬＥＤ）表示装置、蛍光表示管、電界放出型表示装置、電気泳動表示装置、エレクトロクロミック表示装置、陰極線管（ＣＲＴ）表示装置などの表示装置に関する。
【背景技術】
【０００２】
液晶ディスプレイ、プラズマディスプレイ、ＥＬディスプレイなどのフラットパネルディスプレイ（以下、ＦＰＤと呼ぶ）は、ガラス、プラスチック、半導体などの基板上にマトリクス状に配置された画素を有しており、外部からの電気信号によって任意の画素を光学的に制御することにより画像表示を行う。各画素は一般に赤緑青の三原色の絵素より構成され、これらの絵素は各々別の信号で駆動される最小単位である。
【０００３】
ＦＰＤは、サイズと解像度によって、画素のサイズが決定される。例えば、対角が３７インチで、解像度が１３６６本×７６８本のＷＸＧＡ（Wide eXtended Graphics Array）のＦＰＤでは、一画素のサイズは６００μｍ角となる。画素の形状は、ディスプレイの仕様によっては正方形でない場合もありうるが、概ね正方形である。一画素の大きさが６００μｍ×６００μｍであり、例えばＲ（赤）Ｇ（緑）Ｂ（青）のストライプ形状の絵素から一画素が構成された場合、一絵素の大きさは一画素の幅を三等分した２００μｍ×６００μｍとなる。
【０００４】
図１３は一般的な画素の概略平面図である。画素１０１は、赤絵素１０２、緑絵素１０３および青絵素１０４から構成される。赤絵素１０２に対しては赤絵素用信号線１０５、緑絵素１０３に対しては緑絵素用信号線１０６、青絵素１０４に対しては青絵素用信号線１０７がそれぞれ電気的に接続されている。多くの液晶表示装置や有機ＥＬディスプレイなどの場合、薄膜トランジスタ（ＴＦＴ）やダイオードなどを介して信号線が絵素に接続される。なお、プラズマディスプレイなどのデューティ駆動するものでは、信号線そのものが絵素となる。各々の信号線から供給される信号によって、各絵素１０２，１０３，１０４が駆動されマトリクス表示される。
【０００５】
一般に人間の目は緑色の視感度が高く、赤緑青の三原色の明度比率は概ね５：１２：２である。またストライプ配列では、同一色の絵素が縦方向に配列する。したがって、白の表示を全面に行なった場合、赤と緑の合成色である黄色の縦ラインと青色の縦ラインとが周期的に並ぶことになり、それが縦縞状に視認されることになる。白以外の表示でも、例えば人の顔や模様のない壁紙などの表示でも、すべてに縦縞（縦すじ）が発生し、表示品位を損なうこととなる。
【０００６】
図１を参照しながらこの現象を詳細に説明する。図１はCampbell-Robson CSF Chart と呼ばれる図である。この図の横軸は縞の細かさを表し、縦軸は縞の輝度の比（コントラスト）を表す。この縞の濃淡を波と捉えて、横軸を空間周波数という指標で表す。空間周波数は視野１°内に存在する白黒のライン＆スペースの対の本数で表される。単位はcycle/degreeである。縞の輝度の比（コントラスト）は、ディスプレイ上では８ビットのグレースケール（２５６階調）で表される。具体的には、縦軸の一番上が１２８階調（コントラスト＝１）であり、一番下が０階調と２５５階調（コントラストはおおよそ５００〜１０００程度）である。
【０００７】
図２は、Campbell-Robson CSF Chart を用いて測定した解像限界曲線を示すグラフである。グラフの縦軸と横軸は前述のCampbell-Robson CSF Chart と同じである。図２に示す曲線の内側は縦縞が見える領域である。図２から、絵素の縦縞が見えることは、観察者からディスプレイまでの距離、絵素サイズおよびコントラストが関係していることがわかる。
【０００８】
コントラストは、緑色と赤色の強度の和に対する青色の強度の比であるから、理論的に計算できる。例えば液晶表示装置の場合、色の強度の比は、カラーフィルタの透過率の比で代用することができる。代表的な青色カラーフィルタの透過率は８．７％、緑色カラーフィルタの透過率は５７％、赤色カラーフィルタの透過率は２２％であるので、これらの値を用いて計算すると、（５７＋２２）／８．７＝９．１となる。すなわち、コントラストは約９である。カラーフィルタが変われば透過率も変わり、またＰＤＰなどの発光ディスプレイでは透過率でなく輝度の測定になるが、ＲＧＢ三原色で画像を表示する表示装置である限り、コントラストは約９であることに変わりはない。したがって、観察者からディスプレイまでの距離が短く、絵素サイズが大きいほど、言い換えれば低解像度なディスプレイほど縦縞が見えやすい。
【０００９】
また、赤緑青の三原色以外の画素配列についても、同様の原理により、最も視感度の高い色の絵素と低い色の絵素とによる縞が視認される。例えばシアン、マゼンタおよびイエロの三色の画素配列の場合、最も視感度の高いイエロの絵素と視感度の低いマゼンタの絵素との間で縞が視認され、赤緑青に白を加えた４色の画素配列の場合、最も視感度の高い白の絵素と視感度の低い青の絵素との間で縞が視認される。さらに、赤緑青にシアンとイエロを加えた５色の画素配列においても、最も視感度の高い緑と視感度の低い青の絵素との間で縞が視認される。
【００１０】
ところで、ＦＰＤがＴＶ用途であれば、従来のＣＲＴのＴＶと同様に、観察者からディスプレイまでの距離は対角サイズの３倍が適当である。しかし、ＰＣ（パーソナルコンピュータ）モニタを兼用するパーソナル用途のＴＶの場合、ディスプレイまでの視認距離は比較的短くなり、対角サイズ以下の視認距離で使用されることも多い。また、パーソナル用途のＴＶでは、従来のＰＣモニタよりも高輝度が必要となる。したがって、使用目的に応じて距離を設定した場合、ある値以上の解像度がないと縦縞により表示品位を損なうことになる。
【００１１】
具体的には、図２からコントラストが９の解像度限界を読み取ると、約１３cycle/degreeとなる。この解像度限界を観察者からディスプレイまでの距離が５０ｃｍの場合に当てはめると、絵素サイズ（ピッチ）は４００μｍ相当になり、これ以上の大きさのピッチの絵素では縦すじが見えることになる。例えば、対角が５０ｃｍ（１９．７インチ）、解像度が６４０×４８０のＶＧＡ（Video Graphics Array）クラスのディスプレイの場合、一絵素のサイズ（ピッチ）は６８０μｍであるから、縦縞が視認され、表示品位を損なう。
【００１２】
ストライプ配列による縦縞の発生は、デルタ配列、モザイク配列あるいは特許文献１などに開示されたスクエア配列を採用することによってある程度緩和されるが、縦縞が横縞や斜め縞となるだけで、根本的な解決には至らない。さらに、テキスト表示やベクトル画像のようにエッジがはっきりとした画像の場合、エッジに色付きが発生するので、パソコンモニタやコンピューターグラフィックス用途では問題となる。
【００１３】
特許文献２には、ｎ（ｎは２以上の整数）色のカラーフィルタが縦方向で同じ色に配列され、かつ横方向で同じ色がｍ（ｍは２以上の整数）個ずつ並んで順次配列され、ｎ×ｍ×ｌ（ｌは自然数）個の画素で１絵素を構成する液晶表示装置が開示されている。しかしながら、入力される信号の解像度以上に表示される解像度を上げることは、駆動回路やコントローラなどの周辺回路のコストがかかり好ましくない。また、表示装置の解像度以下の解像度を持つ信号をその表示装置に入力する場合、例えばＶＧＡの解像度を持つ信号をＸＧＡ（eXtended Graphics Array ）の表示パネルに入力する場合、画像処理によって信号の解像度を上げる必要があるので、さらに余分な回路が必要となる。
【００１４】
特許文献３には、青絵素が中心に配置されたチェッカボード状配列を有する画素が開示されている。この配列を採用することにより、少なくとも縦縞は見えなくなる。しかし、解像度を変えずにチェッカボード状配列にしても、空間周波数は変わらないので、縦縞、横縞および斜め縞の混合縞となり、やはり本問題の解決とはならない。
【特許文献１】特開平6-102503号公報
【特許文献２】特開2001-272689 号公報
【特許文献３】Candice Hellen Brown Elliott, Reducing Pixel Count without Reducing Image Quality,“Information Display", U.S.A,The Society for Information Display, December1999, Vol.15, No.12, p.22-25
【発明の開示】
【発明が解決しようとする課題】
【００１５】
本発明の目的の一つは、周辺回路のコストを上げることなく、縦縞による表示品位の低下を抑制することである。
【課題を解決するための手段】
【００１６】
本発明の表示装置は、マトリクス状に配列された複数の画素を有する表示装置であって、前記画素は各組が三色以上の絵素を含む複数組の絵素群を有しており、前記画素に含まれる同色の前記絵素は同じ信号により駆動され、前記画素は行方向に隣接する二組の絵素群から構成され、かつ前記二組の絵素群のそれぞれは周期的に一方向に配列された三色以上の絵素から構成され、前記二組の絵素群のそれぞれは周期的に一方向に配列された三色の絵素から構成され、行方向に隣接する二つの前記画素のうち一方の画素に含まれる前記絵素の極性が＋・−・＋・＋・−・＋であり、他方の画素に含まれる前記絵素の極性が−・＋・−・−・＋・−であり、列方向に延び、かつ前記絵素に電気的に接続された複数の信号線をさらに有しており、前記絵素は行方向に隣接する二つの前記信号線に挟まれ、同極性の前記信号線に挟まれた前記絵素の開口率が、前記画素に含まれる同色の他の前記絵素の開口率と異なる。
【００１７】
前記二組の絵素群のそれぞれは周期的に一方向に配列された５色の絵素から構成され、行方向に隣接する二つの前記画素のうち一方の画素に含まれる前記絵素の極性が＋・−・＋・−・＋・＋・−・＋・−・＋であり、他方の画素に含まれる前記絵素の極性が−・＋・−・＋・−・−・＋・−・＋・−であってもよい。
【００１８】
また、同極性の前記信号線に挟まれた前記絵素群を構成する絵素のうち最も視感度の低い色の前記絵素の開口率が、前記画素に含まれる同色の他の前記絵素の開口率よりも１０％以上３０％以下の範囲で低くてもよい。
【００１９】
また、同極性の前記信号線に挟まれた前記絵素が前記絵素群を構成する絵素のうち最も視感度の低い色の絵素であってもよい。
【００２０】
本発明の表示装置は、前記絵素を駆動させるための信号を出力する駆動回路をさらに有していても良い。この場合、前記駆動回路から出力された前記信号が複数に分岐されて、同色の前記絵素を駆動させることが好ましい。
【００２１】
本発明の表示装置は、前記絵素群を構成する絵素のうち最も視感度の低い色の絵素が、最も視感度の高い色の絵素および２番目に視感度の高い色の絵素に行方向に挟まれて配置されていても良い。
【００２２】
前記絵素群は赤、緑および青の三色の絵素から構成されていても良く、シアン、マゼンタおよびイエロの三色の絵素から構成されていても良い。また前記絵素群が赤、緑、青および白の４色の絵素から構成されていても良く、赤、緑、青、イエロおよびシアンの５色の絵素から構成されていても良い。
【００２３】
なお、本明細書中において「行方向」および「列方向」は、相互に交差する二つの方向を意味し、必ずしも横方向と縦方向とを意味しない。
【発明の効果】
【００２４】
本発明によれば、周辺回路のコストを上げることなく、縦縞による表示品位の低下を抑制することができる。
【発明を実施するための最良の形態】
【００２５】
以下、図面を参照しながら本発明の実施形態を説明する。以下の実施形態では、液晶表示装置について説明するが、本発明の表示装置は、液晶表示装置だけでなく、無機または有機ＥＬ表示装置、ＰＤＰ、ＬＥＤ表示装置、蛍光表示管、電界放出型表示装置、電気泳動表示装置、エレクトロクロミック表示装置、ＣＲＴ表示装置などの各種の表示装置を包含する。
【００２６】
以下に示す参照符号において、同族的な構成要素を総括的に表すために、英字を省略して数字のみを表記することがある。例えば、第一赤絵素２ａおよび第二赤絵素２ｂを総括的に赤絵素２と表記することがある。
【００２７】
（実施形態１）
図３は実施形態１の液晶表示装置を模式的に示す部分断面図である。液晶表示装置は、液晶パネルと、液晶パネルを駆動するための駆動回路部と、透過型液晶表示装置であればバックライトなどの光源を有する。液晶パネルは、ＴＦＴ（Thin Film Transistor）基板１０と、これに対向配置されたＣＦ（カラーフィルタ）基板１１と、両基板１０，１１に挟まれた周辺シール材１２と、両基板１０，１１に挟まれ、かつ周辺シール材１２に囲まれた液晶層１３と、両基板１０，１１の外側面にそれぞれ貼り付けられた一対の偏光板１４，１５を有する。
【００２８】
ＴＦＴ基板１０は、行方向に延びる複数の走査線（不図示）と、走査線に交差して列方向に延びる複数の信号線５，６，７と、走査線および信号線５，６，７の交差部近傍に設けられたＴＦＴ（不図示）と、ＴＦＴを介して信号線５，６，７に接続され、マトリクス状に配置された絵素透明電極（以下、絵素電極ともいう）１６と、絵素透明電極１６を覆い、ポリイミドなどからなる液晶配向膜１７を有する。
【００２９】
ＣＦ基板１１は、赤緑青の三色のカラーフィルタ層２，３，４と、クロムや黒色樹脂からなる遮光層１８と、ＩＴＯ（インジウム錫酸化物）などからなる共通透明電極１９と、共通透明電極１９を覆う液晶配向膜２０を有する。
【００３０】
両基板１０，１１の材料としては、石英ガラスやソーダライムガラス、ホウケイ酸ガラス、低アルカリガラス、無アルカリガラスなどのガラス、ポリエステルやポリイミドなどのプラスチック、シリコンなどの半導体が挙げられる。
【００３１】
液晶パネルの製造工程について説明する。まずＴＦＴ基板１０の作成方法について説明する。スパッタリング法にて、ガラス基板上にTaあるいはTaMo合金で膜厚約100 〜200nm
の薄膜を形成した後、フォトエッチングプロセスにて所定パターンを有する走査線を作成する。その上にSiNx等の絶縁膜を形成した後、a-Si層およびエッチストッパ層（SiNx）の成膜を行い、フォトプロセスにてＴＦＴ素子を形成する。次に、Ti等でソースメタルを成膜し、フォトエッチングで所定パターンを有する信号線５，６，７やドレイン等の形成を行なう。さらにSi等の保護膜およびコンタクトホールを形成した後、ITO 膜を成膜し、フォトエッチングプロセスにて絵素電極１６を形成する。このように作成されたＴＦＴ基板１０の上に、ポリイミド系の液晶配向膜１７を印刷し、焼成して作成する。通常は、液晶配向膜１７の厚みは50〜100 nmの範囲で形成される。その後、回転布にて一方向にラビングを行なう。
【００３２】
次に、カラーフィルタ基板１１の作成方法について説明する。Cr（クロム）あるいは黒色樹脂のブラックマスク材料をガラス基板上に塗布し、フォトプロセスにて遮光層１８を形成する。赤緑青のそれぞれについて、カラーフィルタ膜のコーティング、フォトプロセスによる所定パターンの形成および焼成を行なって、赤緑青のカラーフィルタ層２，３，４を形成する。マスクを介してＩＴＯ膜を成膜することにより共通透明電極１９を形成する。ＴＦＴ基板１０と同様に、ＣＦ基板１１上に液晶配向膜２０を形成する。
【００３３】
ＴＦＴ基板１０またはＣＦ基板１１にスペーサ散布あるいは周辺シール材１２の印刷を行い、両基板１０，１１を貼り合せ、焼成を行なう。貼り合わされた基板をパネル単位に分断した後、作成されたパネルのセル内にＴＮ（Twisted Nematic ）液晶材料を注入し、封止する。パネルの両面に偏光板１４，１５を貼り付けて、液晶パネルが完成する。
【００３４】
本実施形態の液晶表示装置においては、絵素透明電極１６と絵素透明電極１６に対向する共通透明電極１９とが重畳する領域が絵素となる。厳密には、表示すべき状態に応じて電圧が印加される領域のうち、遮光層１８の開口部に対応する領域が絵素になる。以下、説明の便宜上、赤緑青の三色のカラーフィルタ層２，３，４に対応する各絵素を赤絵素２、緑絵素３および青絵素４と呼ぶ。また絵素透明電極１６を単に「絵素」と呼ぶこともある。なお、本発明の表示装置は、本実施形態で例示するアクティブマトリクス型液晶表示装置に限られず、例えば、単純マトリクス型液晶表示装置に適用することもできる。単純マトリクス型液晶表示装置においては、ストライプ状に設けられる列電極と、列電極に交差するストライプ状の行電極とが重畳するそれぞれの領域が絵素となる。
【００３５】
図４は実施形態１の液晶表示装置における一画素の概略図である。本実施形態の液晶表示装置は、マトリクス状に配列された複数の画素１を有する。一画素１は、行方向に隣接する二組の絵素群１ａ，１ｂから構成されている。各絵素群１ａ，１ｂのそれぞれは、周期的に一方向（本実施形態では行方向）に配列された赤、緑および青の三色の絵素２，３，４を有している。具体的には、第一および第二赤絵素２ａ，２ｂ、第一および第二緑絵素３ａ，３ｂ、第一および第二青絵素４ａ，４ｂが一画素１に含まれる。すなわち、一画素１に同色の絵素領域が二領域存在する。
【００３６】
対角が１９．７インチ、解像度が６４０×４８０のＶＧＡクラスのディスプレイを例にして本実施形態の液晶表示装置を説明する。一画素１のサイズは６８０μｍ角である。各絵素２，３，４は短冊状であるので、各絵素２，３，４の幅（行方向の長さ）は約１１３μｍであり、各絵素群１ａ，１ｂの幅は約３４０（約１１３μｍ×３）である。
【００３７】
このディスプレイを距離５０ｃｍだけ離れた所から見た場合、１°視野内に２５．７cycle/degreeの黄色と青色によるライン＆スペースが観察される。これに対して、図１３に示す従来例のディスプレイでは、ライン＆スペースは１２．８cycle/degreeとなる。図５は、本実施形態および従来例の各ディスプレイのライン＆スペースの値を記入した、解像限界曲線を示すグラフである。図５中の点ａは従来例の値を、点ｂは本実施形態の値をそれぞれ示している。図５に示すように、従来例では解像限界内となり、黄色と青色の縦縞が観察される。一方、本実施形態では解像限界外となり、縦縞が視認されることはない。
【００３８】
本実施形態における駆動回路部は、外部から入力される信号に基づいて信号処理を行なう液晶コントローラ（不図示）と、液晶コントローラからの指示に基づいて映像信号を出力する信号線駆動回路（不図示）と、液晶コントローラからの指示に基づいて走査パルスを出力する走査線駆動回路（不図示）を有する。液晶コントローラは、ＴＣＰ（Tape Carrier Package）を介して液晶パネルに電気的に接続される。ＴＣＰには、信号線駆動回路や走査線駆動回路が実装されている。
【００３９】
各絵素２，３，４はそれぞれに対応する信号線５，６，７に電気的に接続され、信号線５，６，７からの映像信号が各ＴＦＴを介して入力される。詳細に述べると、それぞれが行方向に延びる複数の走査線には、水平走査期間ごとに走査線駆動回路から走査パルスが順次（例えば一行ごとに）印加される。走査パルスにより選択されたＴＦＴを介して、信号線駆動回路から信号線５，６，７を経由して供給される映像信号が対応の絵素２，３，４に入力される。なお、記載の簡略化のために、図４中の絵素間における信号線５，６，７の記載を省略している。
【００４０】
本実施形態では、信号線駆動回路から出力された映像信号が二つに分岐して、一画素に含まれる同色の絵素を駆動させる。言い換えれば、一画素に含まれる同色の絵素は、同じ信号により駆動される。具体的には、赤絵素２に映像信号を供給するための赤絵素用信号線５は、ＴＦＴ基板１０上の表示領域（アクティブエリア）の外側で二つの信号線５ａ，５ｂに分岐している。二つの信号線５ａ，５ｂは、第一および第二赤絵素２ａ，２ｂの絵素透明電極１６とそれぞれ電気的に接続されている。これにより、信号線駆動回路から出力された一つの映像信号が二つに分岐されて、第一および第二赤絵素２ａ，２ｂを駆動させる。緑絵素用信号線６および青絵素用信号線７についても同様に、それぞれ二つの信号線６ａ，６ｂ，７ａ，７ｂに分岐している。
【００４１】
このように、信号線駆動回路から出力された一つの映像信号が二つに分岐することによって、縦縞による表示品位の低下を低減することができるとともに、信号線駆動回路の出力数を従来のものと同じにすることができる。したがって、周辺回路のコストアップを避けることができる。
【００４２】
信号線の分岐は、信号線駆動回路の端子部近辺で行なうことができる。この場合、分岐した信号線と他の信号線とが交差する箇所が生じる。図４を参照しながら具体的に説明する。例えば、緑絵素用信号線６から分岐した第一緑絵素用信号線６ａと、赤絵素用信号線５から分岐した第二赤絵素用信号線５ｂとが交差する箇所が生じる。両信号線６ａ，５ｂの交差箇所でのショートを回避するために、例えば第二赤絵素用信号線５ｂ上に絶縁膜を形成し、この絶縁膜上を跨ぐように第一緑絵素用信号線６ａを形成することもできる。しかしこの方法では、ソースメタルのパターニング工程を２回行なう必要があるので、製造コストが上昇する。上記のＴＦＴ製造プロセスで、言い換えれば新たなプロセスを追加せずに、両信号線６ａ，５ｂの交差箇所でのショートを回避する方法について図６を参照しながら説明する。
【００４３】
図６は第一緑絵素用信号線６ａと第二赤絵素用信号線５ｂとの交差部付近における製造プロセスを説明する模式的な平面図である。まず図６（ａ）に示すように、走査線の作成と同時に、ゲートメタルを用いて緑絵素用信号線６と第一緑絵素用信号線６ａとの接続部３０を形成する。図６（ｂ）に示すように、ゲート絶縁膜のパターニングと同時に、接続部３０上の信号線５ｂが交差する領域に層間絶縁膜３１を形成する。次にソースメタルから信号線５，６，７を形成する。このとき、図６（ｃ）に示すように、両信号線６，６ａが接続部３０を介して接続されるように、かつ信号線５ｂが層間絶縁膜３１上を跨ぐように、ソースメタルのパターニングを行なう。なお、図６では、層間絶縁膜３１の領域を除いて接続部３０を露出させているが、接続部３０をゲート絶縁膜で覆い、コンタクトホールを介して両信号線６，６ｂが接続部３０に接続されるようにしても良い。
【００４４】
本実施形態では、信号線駆動回路の接続端子からアクティブエリアまでの額縁領域内で分岐配線を形成しているが、本発明はこれに限定されない。例えば、ガラス基板上に面積的な余裕がない場合、信号線駆動回路内やＴＣＰ内で分岐配線を形成しても良い。
【００４５】
次に、本実施形態の液晶表示装置の駆動方法について述べる。液晶表示装置は、表示特性上、交流駆動される必要があり、入力信号のリフレッシュレート毎にプラスマイナスの電圧極性を反転させている。さらに、この交流成分がフリッカとして認識されないようにするために、隣接する絵素間でプラスマイナスの電圧極性が逆となるように極性反転駆動が行われる。極性反転のパターンには、一走査ライン毎または一信号ライン毎に極性を反転させるライン反転駆動、一絵素毎に極性反転させるドット反転駆動がある。また、そのバリエーションとして、走査ライン沿いは一絵素毎、信号ライン沿いは二絵素毎（二水平走査期間の信号毎）に極性を反転させる２Ｈドット反転駆動などがある。これらドット反転駆動はクロストークに強いので、高表示品位を得やすい。
【００４６】
しかしながら、本実施形態の液晶表示装置では、赤緑青赤緑青の六つの絵素２，３，４で一画素を形成しているので、極性反転の単位である一絵素毎に見ると、例えば＋・−・＋・−・＋・−のようにドット反転駆動をするためには、駆動回路から出された信号をさらに極性反転させる必要がある。例えば、第一赤絵素２ａ用の信号線５ａにはプラスの極性電圧を、第二赤絵素２ｂ用の信号線５ｂにはマイナスの極性電圧をそれぞれ供給するために、いずれか一方の信号線に対して、信号線駆動回路から出された信号の極性を反転させる必要がある。
【００４７】
本実施形態では、画素１の極性反転パターンを＋・−・＋・＋・−・＋と−・＋・−・−・＋・−の二通りとする。これら二通りのパターンは行方向に隣接させることが好ましい。言い換えれば、行方向に隣接する二つの画素１のうち一方の画素１に含まれる六つの絵素２，３，４の極性が＋・−・＋・＋・−・＋であり、他方の画素１に含まれる六つの絵素２，３，４の極性が−・＋・−・−・＋・−であることが好ましい。これにより、両画素間で隣接する二つの絵素の極性が逆となるので、フリッカが認識され難く、シャドーイング（電源ラインを介したクロストーク）が防止される。
【００４８】
図７は一画素に含まれる各絵素の極性を示す図である。図７に示す画素１では、左の絵素２ａから順に＋・−・＋・＋・−・＋の極性を有している。言い換えれば、赤絵素用信号線５から第一および第二赤絵素２ａ，２ｂに、また青絵素用信号線７から第一および第二青絵素４ａ，４ｂにそれぞれプラス極性の信号（電圧）が印加され、緑絵素用信号線６から第一および第二緑絵素３ａ，３ｂにマイナス極性の信号（電圧）が印加されている状態を図７は示している。
【００４９】
図７に示す極性は、各絵素２，３，４に接続されたＴＦＴがオンした状態、言い換えれば一水平走査期間の状態を表している。ＴＦＴがオン状態となっている走査線のスキャンに対応して、ある振幅を持った矩形波が各信号線５，６，７から各絵素２，３，４に印加される。各絵素２，３，４の極性は所定周期、例えば１フィールド期間ごとに反転する。
【００５０】
平面視において、各絵素２，３，４は、行方向に隣接する信号線５，６，７に挟まれている。一画素に含まれる六つの絵素２，３，４のうち第一青絵素４ａは、同極性（図７ではプラスの極性）の電圧を供給する信号線７ａ，５ｂに挟まれている。一方、第一青絵素４ａ以外の他の五つの絵素２ａ，２ｂ，３ａ，３ｂ，４ｂは、逆極性の電圧を供給する信号線５，６，７に挟まれている。例えば、第一赤絵素２ａは、プラスの極性の信号線５ａとマイナスの極性の信号線６ａに挟まれている。
【００５１】
信号線５，６，７と絵素２，３，４のカップリング容量によって、［絵素電極に対する信号線の１フィールド期間の電圧実効値］×［絵素電極と信号線との間の容量］÷［全絵素容量］の分だけ重畳した電圧が液晶層１３に印加される。ここで、絵素電極に対する信号線の１フィールド期間の電圧実効値は、ＴＦＴがオフした時の信号線の電位を基準として決定される。すなわち、絵素電極と信号線とが同極性の電圧である場合は実効値が下がり、反対に絵素電極と信号線とが逆極性の電圧である場合は実効値が上がる。
【００５２】
図８はＴＦＴ基板１０の模式的な部分断面図である。図８に示すように、第二赤絵素２ｂにそれぞれカップリングしている信号線５ｂと信号線６ｂとが逆極性であるのに対して、第一青絵素４ａにそれぞれカップリングしている信号線７ａと信号線５ｂとは同極性（プラス）である。このように、各絵素群１ａ，１ｂのそれぞれに奇数個の絵素（本実施形態では３つの絵素）が含まれている場合、第１の絵素群１ａに含まれる絵素２ａ，３ａ，４ａのうち第２の絵素群１ｂに最も近接している絵素（本実施形態では第一青絵素４ａ）が同極性の信号線に挟まれることになる。
【００５３】
したがって、第一青絵素４ａは、第二赤絵素２ｂなどの他の絵素と比較して、液晶層１３に印加される実効電圧が下がる。そのため、ストライプ配列の場合、第一青絵素４ａを含む縦（列方向）のラインが表示欠陥となるおそれがある。具体的には、ノーマリーホワイトモードの表示装置の場合は縦のラインが輝線となり、ノーマリーブラックモードの表示装置の場合は黒線となるおそれがある。なお、白表示における黒線に比して、黒表示における輝線は視認され易いので、表示品位に与える影響がより大きい。
【００５４】
しかし、青色の視感度は赤や緑の視感度よりも低いので、実効電圧が下がっていても表示上問題とはなり難い。例えば、信号線の振幅が６Ｖのとき、実効電圧の差は約０．２Ｖとなり、これを輝度に換算すると約２０％の差となる。しかしながら、青色の輝度の差は、緑色のそれの１／６の視感度に相当するので、見かけ上は３％程度の輝度差に抑えることができる。したがって、同極性の信号線に挟まれた絵素を青色の絵素とすることによって、実効電圧の低下による表示品位の低下を抑えることができる。
【００５５】
（実施形態２）
本発明の液晶表示装置は、同極性の信号線に挟まれた絵素の開口率が、同じ画素に含まれる同色の他の絵素の開口率と異なっていても良い。例えば、同極性の信号線に挟まれた絵素の開口率を相対的に高くした場合、ノーマリーブラックモードの表示装置における黒線の発生を抑制することができる。反対に、同極性の信号線に挟まれた絵素の開口率を相対的に低くした場合、ノーマリーホワイトモードの表示装置における輝線の発生を抑制することができる。
【００５６】
図９は実施形態２の液晶表示装置における一画素の概略図である。なお、以降の図面において実施形態１の液晶表示装置の構成要素と実質的に同じ機能を有する構成要素を同じ参照符号で示し、その説明を省略する。
【００５７】
本実施形態の液晶表示装置は、行方向に隣接する同極性の信号線７ａ，５ｂに挟まれた第一青絵素４ａの開口率が、同じ画素１に含まれる同色の第二青絵素４ｂの開口率よりも低い。具体的には、第一青絵素４ａの開口率は、第二青絵素４ｂの開口率の１０％以上３０％以下の範囲で低く、例えば２０％程度低い。
【００５８】
本実施形態の液晶表示装置は、同極性の信号線７ａ，５ｂに挟まれた第一青絵素４ａの開口率が相対的に低く設定されている。したがって、この液晶表示装置をノーマリーホワイトモードの表示装置に適用することにより、実施形態１の表示装置よりも輝線の発生を抑制することができる。
【００５９】
（実施形態３）
上記の実施形態１および２では、各絵素群１ａ，１ｂが赤、緑および青の三色の絵素２，３，４から構成されている場合について説明したが、本発明において絵素の色相はこれらに限定されない。本実施形態では、各絵素群１ａ，１ｂがシアン、マゼンタおよびイエロの三色の絵素から構成されている場合について説明する。
【００６０】
図１０は、本実施形態の液晶表示装置における一画素の概略図であり、一画素に含まれる各絵素の極性が併せて示されている。実施形態１および２と同様に、本実施形態においても、行方向に隣接する二組の絵素群１ａ，１ｂから一画素１が構成されている。各絵素群１ａ，１ｂのそれぞれは、周期的に一方向（本実施形態では行方向）に配列されたイエロ、シアンおよびマゼンタの三色の絵素２２，２３，２４を有している。具体的には、第一および第二イエロ絵素２２ａ，２２ｂ、第一および第二シアン絵素２３ａ，２３ｂ、第一および第二マゼンタ絵素２４ａ，２４ｂが一画素１に含まれる。
【００６１】
本実施形態においても、一画素１に含まれる同色の絵素は、同じ信号により駆動される。具体的には、イエロ絵素２２に映像信号を供給するためのイエロ絵素用信号線２５が二つの信号線２５ａ，２５ｂに分岐しており、一つの映像信号が二つに分岐されて、第一および第二イエロ絵素２２ａ，２２ｂを駆動させる。シアン絵素用信号線２６およびマゼンタ絵素用信号線２７についても同様に、それぞれ二つの信号線２６ａ，２６ｂ，２７ａ，２７ｂに分岐しており、二つに分岐された映像信号が同色の絵素２３，２４を駆動させる。
【００６２】
図１０に示す画素１では、左の絵素２２ａから順に＋・−・＋・＋・−・＋の極性を有している。言い換えれば、イエロ絵素用信号線２５から第一および第二イエロ絵素２２ａ，２２ｂに、またマゼンタ絵素用信号線２７から第一および第二マゼンタ絵素２４ａ，２４ｂにそれぞれプラス極性の信号（電圧）が印加され、シアン絵素用信号線２６から第一および第二シアン絵素２３ａ，２３ｂにマイナス極性の信号（電圧）が印加されている。すなわち、第一マゼンタ絵素２４ａは同極性（図１０ではプラスの極性）の電圧を供給する信号線２７ａ，２５ｂに挟まれ、第一マゼンタ絵素２４ａ以外の他の五つの絵素２２ａ，２３ａ，２２ｂ，２３ｂ，２４ｂは逆極性の電圧を供給する信号線２５，２６，２７に挟まれている。例えば、第一イエロ絵素２２ａは、プラスの極性の信号線２５ａとマイナスの極性の信号線２６ａに挟まれている。したがって、第一マゼンタ絵素２４ａは、第二マゼンタ絵素２４ｂなどの他の絵素と比較して、液晶層１３に印加される実効電圧が下がる。そのため、ストライプ配列の場合、第一マゼンタ絵素２４ａを含む縦（列方向）のラインが表示欠陥となるおそれがある。
【００６３】
しかし、マゼンタの視感度はイエロやシアンの視感度よりも低い。言い換えれば、マゼンタ絵素２４は、各絵素群１ａ，１ｂを構成する絵素２２，２３，２４のうち最も視感度が低い。したがって、第一マゼンタ絵素２４ａの実効電圧が下がっていても表示上問題とはなり難いので、同極性の信号線に挟まれた絵素をマゼンタの絵素とすることによって、実効電圧の低下による表示品位の低下を抑えることができる。
【００６４】
本実施形態では、同極性の信号線に挟まれた第一マゼンタ絵素２４ａの開口率が、同じ画素１に含まれる同色の第二マゼンタ絵素２４ｂの開口率と略同じであるが、実施形態２と同様に、両開口率が異なっていても良い。例えば、第一マゼンタ絵素２４ａの開口率が、同じ画素１に含まれる同色の第二マゼンタ絵素２４ｂの開口率の１０％以上３０％以下の範囲（例えば２０％程度）で低くても良い。
【００６５】
なお、本実施形態においても、画素１の極性反転パターンを＋・−・＋・＋・−・＋と−・＋・−・−・＋・−の二通りとし、これら二通りのパターンを行方向に隣接させることが好ましい。これにより、両画素間で隣接する二つの絵素の極性が逆となるので、フリッカが認識され難く、シャドーイング（電源ラインを介したクロストーク）が防止される。
【００６６】
（実施形態４）
上記の実施形態１〜３では、各絵素群１ａ，１ｂが三色の絵素から構成されている場合について説明したが、本発明において絵素の色相数はこれらに限定されない。本実施形態では、各絵素群１ａ，１ｂが赤、緑、青および白の４色の絵素から構成されている場合について説明する。
【００６７】
図１１は、本実施形態の液晶表示装置における一画素の概略図であり、一画素に含まれる各絵素の極性が併せて示されている。実施形態１〜３と同様に、本実施形態においても、行方向に隣接する二組の絵素群１ａ，１ｂから一画素１が構成されている。各絵素群１ａ，１ｂのそれぞれは、周期的に一方向（本実施形態では行方向）に配列された赤、緑、青および白の４色の絵素２，３，４，９を有している。具体的には、第一および第二赤絵素２ａ，２ｂ、第一および第二緑絵素３ａ，３ｂ、第一および第二青絵素４ａ，４ｂ、第一および第二白絵素９ａ，９ｂが一画素１に含まれる。
【００６８】
本実施形態においても、一画素１に含まれる同色の絵素は、同じ信号により駆動される。具体的には、赤絵素用信号線５、緑絵素用信号線６、青絵素用信号線７および白絵素用信号線８がそれぞれ二つの信号線5a,5b,6a,6b,7a,7b,8a,8b に分岐しており、二つに分岐された映像信号が同色の絵素２，３，４，９を駆動させる。
【００６９】
本実施形態では、画素１の極性反転パターンを＋・−・＋・−・＋・−・＋・−と−・＋・−・＋・−・＋・−・＋の二通りとする。これら二通りのパターンは行方向に隣接させることが好ましい。言い換えれば、行方向に隣接する二つの画素１のうち一方の画素１に含まれる８つの絵素２，３，４，９の極性が＋・−・＋・−・＋・−・＋・−であり、他方の画素１に含まれる８つの絵素２，３，４，９の極性が−・＋・−・＋・−・＋・−・＋であることが好ましい。これにより、両画素間で隣接する二つの絵素の極性が逆となるので、フリッカが認識され難く、シャドーイング（電源ラインを介したクロストーク）が防止される。
【００７０】
図１１に示す画素１では、左の絵素２ａから順に＋・−・＋・−・＋・−・＋・−の極性を有している。言い換えれば、すべての絵素２，３，４，９が逆極性の電圧を供給する信号線５，６，７，８に挟まれている。したがって、本実施形態では、実効電圧の低下による表示欠陥が生じ難い。
【００７１】
本実施形態では、赤、緑、青および白の４色の絵素から各絵素群１ａ，１ｂが構成されている。これら４色の視感度は、白＞緑＞赤＞青の順で小さくなるので、最も視感度の高い白絵素９と最も視感度の低い青絵素４との間で縞が視認される。本実施形態では、図１１に示すように、最も視感度の低い青絵素４が、最も視感度の高い白絵素９および２番目に視感度の高い緑絵素３に行方向に挟まれて配置されている。このように配置することにより、縞が視認され難くなる。
【００７２】
（実施形態５）
本実施形態では、各絵素群１ａ，１ｂが赤、緑、青、イエロおよびシアンの５色の絵素から構成されている場合について説明する。図１２は、本実施形態の液晶表示装置における一画素の概略図であり、一画素に含まれる各絵素の極性が併せて示されている。
【００７３】
実施形態１〜４と同様に、本実施形態においても、行方向に隣接する二組の絵素群１ａ，１ｂから一画素１が構成されている。各絵素群１ａ，１ｂのそれぞれは、周期的に一方向（本実施形態では行方向）に配列されたイエロ、シアン、赤、緑および青の５色の絵素２２，２３，２，３，４を有している。具体的には、第一および第二イエロ絵素２２ａ，２２ｂ、第一および第二シアン絵素２３ａ，２３ｂ、第一および第二赤絵素２ａ，２ｂ、第一および第二緑絵素３ａ，３ｂ、第一および第二青絵素４ａ，４ｂが一画素１に含まれる。
【００７４】
本実施形態においても、一画素１に含まれる同色の絵素は、同じ信号により駆動される。具体的には、イエロ絵素２２に映像信号を供給するためのイエロ絵素用信号線２５が二つの信号線２５ａ，２５ｂに分岐しており、一つの映像信号が二つに分岐されて、第一および第二イエロ絵素２２ａ，２２ｂを駆動させる。シアン絵素用信号線２６、赤絵素用信号線５、緑絵素用信号線６および青絵素用信号線７についても同様に、それぞれ二つの信号線26a,26b,5a,5b,6a,6b,7a,7b に分岐しており、二つに分岐された映像信号が同色の絵素２３，２，３，４を駆動させる。
【００７５】
本実施形態では、画素１の極性反転パターンを＋・−・＋・−・＋・＋・−・＋・−・＋と−・＋・−・＋・−・−・＋・−・＋・−の二通りとする。これら二通りのパターンは行方向に隣接させることが好ましい。言い換えれば、行方向に隣接する二つの画素１のうち一方の画素１に含まれる１０個の絵素２２，２３，２，３，４の極性が＋・−・＋・−・＋・＋・−・＋・−・＋であり、他方の画素１に含まれる１０個の絵素２２，２３，２，３，４の極性が−・＋・−・＋・−・−・＋・−・＋・−であることが好ましい。これにより、両画素間で隣接する二つの絵素の極性が逆となるので、フリッカが認識され難く、シャドーイング（電源ラインを介したクロストーク）が防止される。
【００７６】
図１２に示す画素１では、左の絵素２２ａから順に＋・−・＋・−・＋・＋・−・＋・−・＋の極性を有している。言い換えれば、イエロ絵素用信号線２５から第一および第二イエロ絵素２２ａ，２２ｂに、また赤絵素用信号線５から第一および第二赤絵素２ａ，２ｂに、さらに青絵素用信号線７から第一および第二青絵素４ａ，４ｂにそれぞれプラス極性の信号（電圧）が印加されている。一方、シアン絵素用信号線２６から第一および第二シアン絵素２３ａ，２３ｂに、また緑絵素用信号線６から第一および第二緑絵素３ａ，３ｂにそれぞれマイナス極性の信号（電圧）が印加されている。すなわち、第一青絵素４ａは同極性（図１２ではプラスの極性）の電圧を供給する信号線７ａ，２５ｂに挟まれ、第一青絵素４ａ以外の他の９つの絵素22a,22b,23a,23b,2a,2b,3a,3b,4bは逆極性の電圧を供給する信号線２５，２６，５，６，７に挟まれている。したがって、第一青絵素４ａは、第二青絵素４ｂなどの他の絵素と比較して、液晶層１３に印加される実効電圧が下がる。そのため、ストライプ配列の場合、第一青絵素４ａを含む縦（列方向）のラインが表示欠陥となるおそれがある。
【００７７】
しかし、青絵素４は、各絵素群１ａ，１ｂを構成する絵素２２，２３，２，３，４のうち最も視感度が低い。したがって、第一青絵素４ａの実効電圧が下がっていても表示上問題とはなり難いので、同極性の信号線に挟まれた絵素を青絵素とすることによって、実効電圧の低下による表示品位の低下を抑えることができる。
【００７８】
本実施形態では、同極性の信号線に挟まれた第一青絵素４ａの開口率が、同じ画素１に含まれる同色の第二青絵素４ｂの開口率と略同じであるが、実施形態２と同様に、両開口率が異なっていても良い。例えば、第一青絵素４ａの開口率が、同じ画素１に含まれる同色の第二青絵素４ｂの開口率の１０％以上３０％以下の範囲（例えば２０％程度）で低くても良い。
【００７９】
本実施形態では、赤、緑、青、イエロおよびシアンの５色の絵素から各絵素群１ａ，１ｂが構成されている。これら５色の絵素のうち最も視感度の高い緑絵素３と最も視感度の低い青絵素４との間で縞が視認される。本実施形態では、図１２に示すように、最も視感度の低い青絵素４が、最も視感度の高い緑絵素３および２番目に視感度の高いイエロ絵素２２に行方向に挟まれて配置されている。このように配置することにより、縞が視認され難くなる。
【００８０】
（他の実施形態）
上記の実施形態１〜５では、絵素配列がストライプ配列の場合について説明したが、デルタ配列やモザイク配列、スクエア配列を採用することも可能である。また上記の実施形態１〜５では、画素１が二組の絵素群１ａ，１ｂを有しているが、画素が三組以上の絵素群を有していても良い。絵素群に含まれるある色相の絵素の数が他の色相の絵素の数と異なっていても良い。例えば一つの絵素群に、赤青緑青の四つの絵素が含まれていても良い。さらに、絵素群に含まれる絵素配列の順序は上記の実施形態１〜５に例示のものに限定されない。例えば、絵素群に赤緑青の絵素が含まれる場合、実施形態１では行方向に赤緑青の順で絵素が配列されているが、行方向に赤青緑の順で絵素が配列されていても良い。
【００８１】
以上、本発明の好ましい実施形態について説明したが、本発明の技術的範囲は上記実施形態に記載の範囲に限定されない。上記実施形態が例示であり、それらの各構成要素や各処理プロセスの組合せに、さらにいろいろな変形例が可能なこと、またそうした変形例も本発明の範囲にあることは当業者に理解されるところである。例えば、液晶駆動素子はＴＦＴに限定されず、ＭＩＭ(Metal Insulator Metal) などの他のアクティブ駆動素子を用いても良く、あるいは駆動素子を用いないパッシブ（マルチプレックス）駆動でも良い。またＴＮモードに限らず、ＩＰＳ（In-Plane Switching）モードやＭＶＡ（Multi-domain Vertical Alignment ）モードなどの他の液晶方式に適応可能である。さらに液晶表示装置は、透過型に限らず、反射型や透過反射両用型のいずれにも適用することができる。
【産業上の利用可能性】
【００８２】
本発明の表示装置は、ＬＣＤ、ＰＤＰ、無機または有機ＥＬ表示装置、ＬＥＤ表示装置、蛍光表示管、電界放出型表示装置、電気泳動表示装置、エレクトロクロミック表示装置、ＣＲＴ表示装置などの各種の表示装置に利用することができる。例えば、パソコンのディスプレイ、パチンコなどのアミューズメント機器のディスプレイ、携帯端末のディスプレイ、カラーテレビなどに利用することができる。
【図面の簡単な説明】
【００８３】
【図１】Campbell-Robson CSF Chart と呼ばれる図である。
【図２】Campbell-Robson CSF Chart を用いて測定した解像限界曲線を示すグラフである。
【図３】実施形態１の液晶表示装置を模式的に示す部分断面図である。
【図４】実施形態１の液晶表示装置における一画素の概略図である。
【図５】実施形態１および従来例の各ディスプレイのライン＆スペースの値を記入した、解像限界曲線を示すグラフである。
【図６】第一緑絵素用信号線６ａと第二赤絵素用信号線５ｂとの交差部付近における製造プロセスを説明する模式的な平面図である。
【図７】一画素に含まれる各絵素の極性を示す図である。
【図８】ＴＦＴ基板１０の模式的な部分断面図である。
【図９】実施形態２の液晶表示装置における一画素の概略図である。
【図１０】実施形態３の液晶表示装置における一画素の概略図である。
【図１１】実施形態４の液晶表示装置における一画素の概略図である。
【図１２】実施形態５の液晶表示装置における一画素の概略図である。
【図１３】一般的な画素の概略平面図である。
【符号の説明】
【００８４】
１          画素
１ａ，１ｂ  絵素群
２          赤絵素（赤色カラーフィルタ層）
２ａ        第一赤絵素
２ｂ        第二赤絵素
３          緑絵素（緑色カラーフィルタ層）
３ａ        第一緑絵素
３ｂ        第二緑絵素
４          青絵素（青色カラーフィルタ層）
４ａ        第一青絵素
４ｂ        第二青絵素
５          赤絵素用信号線
６          緑絵素用信号線
７          青絵素用信号線
８          白絵素用信号線
９          白絵素
１０        ＴＦＴ基板
１１        カラーフィルタ基板
１２        周辺シール材
１３        液晶層
１４，１５  偏光板
１６        絵素透明電極
１７        液晶配向膜
１８        遮光層
１９        共通透明電極
２０        液晶配向膜
２２        イエロ絵素
２２ａ      第一イエロ絵素
２２ｂ      第二イエロ絵素
２３        シアン絵素
２３ａ      第一シアン絵素
２３ｂ      第二シアン絵素
２４        マゼンタ絵素
２４ａ      第一マゼンタ絵素
２４ｂ      第二マゼンタ絵素
２５        イエロ絵素用信号線
２６        シアン絵素用信号線
２７        マゼンタ絵素用信号線
３０        接続部
３１        層間絶縁膜
１０１      画素
１０２      赤絵素
１０３      緑絵素
１０４      青絵素
１０５      赤絵素用信号線
１０６      緑絵素用信号線
１０７      青絵素用信号線
【図２】
0004623498.tif 000002
【図３】
0004623498.tif 000003
【図４】
0004623498.tif 000004
【図５】
0004623498.tif 000005
【図６】
0004623498.tif 000006
【図７】
0004623498.tif 000007
【図８】
0004623498.tif 000008
【図９】
0004623498.tif 000009
【図１０】
0004623498.tif 000010
【図１１】
0004623498.tif 000011
【図１２】
0004623498.tif 000012
【図１３】
0004623498.tif 000013
【図１】
0004623498.tif 000014